(57)【特許請求の範囲】
【請求項１】
記録媒体に対してデータの記録／再生を行なうことができるとともに、データ及び各種信号の授受を行なうことができる接続部を有して構成されるドライブユニットと別体で形成され、
前記ドライブユニットの接続部と接続され、前記ドライブユニットとの間でデータ及び各種信号の授受を行なうことができる第１の接続部と、外部の情報機器との間でデータ及び各種信号の授受を行なうことができる第２の接続部と、第１の接続部と第２の接続部の間でのインターフェース処理を行なうインターフェースユニット処理部と、前記インターフェースユニット処理部へ外部からのデータの入力を行なうことができる前記第１の接続部及び前記第２の接続部とは異なる第３の接続部とを有して構成され、
外部の情報機器から供給されたデータ、または前記第３の接続部から入力された前記外部からのデータを前記インターフェースユニット処理部を介して前記ドライブユニットへ転送できるように構成されたこと
を特徴とするインターフェースユニット。
【請求項２】
前記第３の接続部は、前記ドライブユニットから供給されたデータを、前記インターフェースユニット処理部を介して外部へ出力することができるように構成されたことを特徴とする請求項１に記載のインターフェースユニット。
【請求項３】
前記第３の接続部から外部へ出力されるデータは音声データであり、前記音声データの出力音量を調節する音量調節つまみを有することを特徴とする請求項２に記載のインターフェースユニット。
【請求項４】
前記第３の接続部は、前記外部から入力されたデータを符号化する符号化部及び前記外部へ出力されるデータを復号する復号部を有することを特徴とする請求項２に記載のインターフェースユニット。
【請求項５】
前記インターフェースユニット処理部は、前記第１の接続部から入力されたデータのデータ種別に対応して、前記第２の接続部及至第３の接続部のうち、いずれかを選択して前記インターフェース処理を行い、前記第２の接続部又は第３の接続部から入力されたデータを前記第１の接続部を選択して前記インターフェース処理を行うことを特徴とする請求項２に記載のインターフェースユニット。
【請求項６】
前記ドライブユニットによる記録媒体への記録動作の際には、記録するデータに対応してデータ種別を示す管理情報が記録されるとともに、前記インターフェースユニット処理部は、前記管理情報に基づいてインターフェース処理を行なうことを特徴とする請求項１に記載のインターフェースユニット。
【発明の詳細な説明】
【０００１】
【産業上の利用分野】
本発明はコンピュータなどの情報機器データの記録再生や、情報機器データや音声データ、映像データなどの各種データを混在した記録再生について好適なシステムに関するものである。
【０００２】
【従来の技術】
オーディオ用途などに各種の記録媒体及び記録再生装置が開発されており、携帯に容易な小型、超小型のものも普及している。
例えばＮＴカセットとして知られている、平面サイズが約３ｃｍ×２ｃｍ程度のデジタルオーディオ記録方式のテープカセットや、ミニディスクとして知られるデジタルオーディオ記録方式の光磁気ディスクがある。
【０００３】
【発明が解決しようとする課題】
ところで、これらの記録媒体はデジタルオーディオ記録メディアとされて所定のフォーマットで音声データの記録がなされるものである。
ここで、近年のパーソナルコンピュータ等の情報機器の普及／発展に伴って、いわゆるコンピュータユーズのデータについてバックアップその他の目的で、小型の記録再生システムを利用したいという要望が生じてきた。
また、いわゆるマルチメディア化の促進という観点からも、上記のような小型オーディオ機器を用いて、コンピュータユーズのデータ、動画、静止画などの映像データなどの各種のデータに対応して記録再生を行なうようにしたいという要望もある。
【０００４】
【課題を解決するための手段】
本発明はこのような要望に応じて、デジタルオーディオ記録再生システムを用いたコンピュータデータの記録／再生、さらには多種類のデータを混在させた記録／再生を行なうことができる記録再生システムにおけるインターフェースユニットを提供することを目的とする。
【０００５】
このため、記録媒体に対してデータの記録／再生を行なうことができるとともに、データ及び各種信号の授受を行なうことができる接続部を有して構成されるドライブユニットと別体で形成され、前記ドライブユニットの接続部と接続され、前記ドライブユニットとの間でデータ及び各種信号の授受を行なうことができる第１の接続部と、外部の情報機器との間でデータ及び各種信号の授受を行なうことができる第２の接続部と、第１の接続部と第２の接続部の間でのインターフェース処理を行なうインターフェース処理部と、前記インターフェース処理部へ外部からのデータの入力を行なうことができる前記第１の接続部及び前記第２の接続部とは異なる第３の接続部とを有して構成され、外部の情報機器から供給されたデータ、または前記第３の接続部から入力された前記外部からのデータを前記インターフェースユニット処理部を介して前記ドライブユニットへ転送できるように構成される。
【０００６】
また、前記第３の接続部は、前記ドライブユニットから供給されたデータを、前記インターフェースユニット処理部を介して、外部へ出力することができるように構成される。
さらに、前記第３の接続部から外部へ出力されるデータは音声データであり、前記音声データの出力音量を調節する音量調節つまみを有する。
また、前記第３の接続部は、前記外部から入力されたデータを符号化する符号化部及び前記外部へ出力されるデータを復号する復号部を有する。
【０００７】
また、前記インターフェースユニット処理部は、前記第１の接続部から入力されたデータのデータ種別に対応して、前記第２の接続部及至第３の接続部のうち、いずれかを選択して前記インターフェース処理を行い、前記第２の接続部又は第３の接続部から入力されたデータを前記第１の接続部を選択して前記インターフェース処理を行う。
【０００８】
さらに、前記ドライブユニットによる記録媒体への記録動作の際には、記録するデータに対応してデータ種別を示す管理情報が記録されるとともに、前記インターフェース処理部は、前記管理情報に基づいてインターフェース処理を行なう。
【０００９】
【作用】
インターフェースユニットがパーソナルコンピュータ等の外部情報機器との間でデータの授受を行ない、また、インターフェースユニットがドライブユニットとの間でデータの授受を行なうようにし、つまりインターフェースユニットがドライブユニットにおける記録フォーマットに対応するデータ形態と、外部情報機器のデータ形態の変換を行なうようにする。これにより外部情報機器のデータについての記録再生をドライブユニットで実行できる。
【００１０】
従ってドライブユニットとしてデジタルオーディオ記録再生機器を用いることができ、また各種の外部機器が採用している各種インターフェース方式についてそれぞれインターフェースユニットを用意すれば、インターフェースユニットを取り換えることで、各種外部機器に対してドライブユニットを共通に用いることができる。
【００１１】
さらに、インターフェースユニットが音声データ、映像データ等の複数種類のデータについて対応することで、マルチメディア化に好適な記録再生システムを実現できる。
【００１２】
【実施例】
以下、図１〜図９により本発明の第１の実施例を、また図１、図２及び図７〜図１３により本発明の第２の実施例を説明する。これらの実施例はデジタルオーディオ用の超小型のテープカセットとして知られる、いわゆるＮＴカセットテープを記録媒体として用いたものである。
【００１３】
そして第１の実施例はＮＴカセットテープを用いてコンピュータユースのデータを記録／再生可能とした構成を、また第２の実施例はコンピュータユースのデータだけでなく音声、映像等の他のデータも混在して記録／再生可能とした構成を説明する。なお、コンピュータユースのデータとはその情報機器の種別やアプリケーションにより多種類存在し、実際にはファイル、映像、文字、プログラム、音声などであるが、ここでは情報機器との間で授受を行なうデータについて一括してコンピュータユースのデータ、もしくはコンピュータデータということとする。第２の実施例で混在される音声、映像等の他のデータとは、オーディオ機器、ビデオ機器との間で授受されるデータをいうものである。
【００１４】
図１は記録再生システムの構成を示すものである。１は記録媒体となるＮＴカセットテープ、１０はＮＴカセットテープ１に対して記録／再生を行なうドライブユニットである。このドライブユニット１０に対して、例えば３０Ａ，３０Ｂ，３０Ｃとして示すインターフェースユニットが設けられる。
【００１５】
各インターフェースユニット３０Ａ，３０Ｂ，３０Ｃはそれぞれパーソナルコンピュータ等の情報機器において採用されている特定のインターフェース方式に対応したものである。例えばインターフェースユニット３０Ａはパラレルポートインターフェイス、インターフェースユニット３０ＢはＳＣＳＩ（Small Computer System Interface ）、インターフェースユニット３０ＣはＰＣＭＣＩＡ（PC Memory Card International Association）インターフェイスに対応する。そしてドライブユニット１０はインターフェースユニット３０Ａ〜３０Ｃのそれぞれに対して着脱可能とされる。
【００１６】
即ち本実施例のシステムでは、パラレルポートインターフェイス方式の情報機器にインターフェースユニット３０Ａのコネクタ３２Ａを接続し、またインターフェースユニット３０Ａにドライブユニット１０を装着することで、その外部情報機器からのデータをドライブユニット１０でＮＴカセットテープ１に記録し、またＮＴカセットテープ１から再生したデータを外部情報機器に供給することができるようにする。
【００１７】
同様にＳＣＳＩ方式の情報機器に対してはインターフェースユニット３２Ｂを用いることで、その情報機器からのＮＴカセットテープ１へのデータ記録、及びその情報機器へのＮＴカセットテープ１からの再生データの供給が可能となる。
【００１８】
さらに、いわゆるメモリーカードに対するインターフェースとしてＰＣＭＣＩＡインターフェイス方式の情報機器に対してはインターフェースユニット３２Ｃを用いることで、その情報機器からのＮＴカセットテープ１へのデータ記録、及びその情報機器へのＮＴカセットテープ１からの再生データの供給が可能となる。
【００１９】
これらの場合、ＮＴカセットテープ１内のテープ２上には、例えば図２（ａ）のように信号記録がなされる。なお、ＮＴカセットテープ１はＡ面／Ｂ面を有し、記録領域はテープ幅方向で２分割されている。図２（ａ）ではパーソナルコンピュータ等から供給された各種コンピュータデータが記録されている状態が示されている。なお、ＮＴカセットテープ１は通常のオーディオ用途の記録装置で使用されることもあり、図２（ａ）ではその際に記録された音声データも混在している様子も示している。
【００２０】
図３はドライブユニット１０とインターフェースユニット３０（３０Ａ〜３０Ｃ）の外観を拡大して示したものである。
まずドライブユニット１０において、１１はＮＴカセットテープ１の装填／脱却のための蓋部である。蓋部１１には窓１２が設けられており、ユーザーは内部にＮＴカセットテープ１が装填されているか否かを確認することができる。１３はイジェクトキーであり、イジェクトキー１３が押されることにより蓋部１１が開かれる。
１４は図１にも示したようにドライブユニット１０の下部に配されるコネクタである。
【００２１】
インターフェースユニット３０としては、上面側にコネクタ３１が設けられている。このコネクタ３１はドライブユニット１０のコネクタ１４と接続される。即ち、ドライブユニット１０がインターフェースユニット３０の上面にセットされた状態でコネクタ１４とコネクタ３１が接続される。
【００２２】
３２（３２Ａ〜３２Ｃ）はインターフェースユニット３０（３０Ａ〜３０Ｃ）を外部の情報機器に接続するコネクタである。
３３はＬＥＤ発光部である。このＬＥＤ発光部３３はドライブユニット１０における記録／再生動作に応じて点灯される。
また、インターフェースユニット３０には例えば単３乾電池などのバッテリー５０が装填される。なお、商用交流電源からＤＣアダプターを介して電源供給を行なうための外部ＤＣジャックが設けられてもよい。
【００２３】
図４はインターフェースユニット３０Ａを接続した場合のシステムブロック図である。
６０は外部機器となるホストコンピュータを示し、この場合、ホストコンピュータ６０はパラレルポートインターフェース方式を採用した機器となる。
【００２４】
ドライブユニット１０にはＮＴカセットテープ１が装填され、記録／再生動作可能とされた状態を示している。１５は円筒形状の周面の所定位置に磁気ヘッドが配されたヘッドドラムを示す。このヘッドドラム１５はローディング時においては、図示するようにＮＴカセットの筺体内に侵入し、磁気テープ２が周面に所定角度巻き付けられた状態とする。そして、テープ走行とともにヘッドドラム１５が回転されると、その周面上の磁気ヘッドは、いわゆるヘリカルスキャン方式でトラックをトレースしていくことになる。
１６は記録／再生回路系、１７はインターフェース部、１８はシステムコントローラを示す。
【００２５】
インターフェースユニット３０Ａにおいて、３４Ａはホストコンピュータ６０とドライブユニット１０の間でのインターフェース処理を行なう変換コントロール部を示す。
この変換コントロール部３４Ａは、図示するようにコネクタ３２Ａを介してホストコンピュータ６０との間でパラレルポートインターフェースが確立されている。
【００２６】
また、インターフェースユニット３０Ａにドライブユニット１０が装着され、コネクタ１４とコネクタ３１が接続されることによって、変換コントロール部３４Ａはインターフェース部１７との間でＮＴカセットテープの記録再生フォーマットに基づくデータ及び各種信号の授受が行なわれる。
【００２７】
このような構成により以下のような動作が実現される。
ホストコンピュータ６０におけるデータをＮＴカセットテープ１に記録したい場合は、インターフェースユニット３０Ａはホストコンピュータ６０からのデータ送信（Ｄ0 〜Ｄ7 ）及び制御信号の送受信を実行しながら、ドライブユニット１０における記録動作を制御することになる。
まずインターフェースユニット３０Ａからドライブユニット１０に対しては電源電圧ＶD を供給している。
また、システムコントローラ１８を起動させるための信号（wake up)を出力する。
【００２８】
さらに、ドライブユニット１０におけるメカニカルコントロール指令(control) を出力し、システムコントローラ１８にローディング、テープ走行、ヘッドドラム回転などの所定の動作を実行させる。
また、ドライブユニット１０の記録／再生時には、ドライブユニット１０からインターフェースユニット３０Ａに対してエラー情報(error) やステータス情報(status)が供給される。
【００２９】
インターフェースユニット３０Ａはホストコンピュータ６０から供給されたデータＤ0 〜Ｄ7 を、ＮＴフォーマットのデータ形態に変換してドライブユニット１０に供給する。ドライブユニット１０では供給されたデータ(data)を記録／再生回路部１６を介してヘッドドラム１５のヘッドに供給し、テープ２に磁気記録していくことになる。
【００３０】
これにより、例えば図２（ａ）のようにコンピューターユースのデータがＮＴカセットテープ１に記録され、例えばデータバックアップとして用いることができる。
なお、このとき、テープ２に記録されたデータはコンピューターユースのデータであるということを再生時に識別できるようにするために管理情報としてＣＴＬ信号内に識別コードを付加している。これについては後述する。
【００３１】
次に、ＮＴカセットテープ１に記録されているデータをホストコンピュータ６０に読み込みたい場合は、インターフェースユニット３０Ａはホストコンピュータ６０との間の制御信号の送受信とともに、ドライブユニット１０における再生動作制御を行なう。
【００３２】
即ち、インターフェースユニット３０Ａはドライブユニット１０に対してメカニカルコントロール指令(control) を出力して、システムコントローラ１８にローディング、テープ走行、ヘッドドラム回転などの所定の動作を実行させ、再生動作を実行させる。そして再生データ(data)、エラー情報(error) を受取り、再生データについてはコンピュータインターフェース形態 (D0〜D7) に変換してホストコンピュータ６０側に出力する。
これによりＮＴカセットテープ１に記録されていたデータをホストコンピュータ６０が取り込むことができる。
【００３３】
図５はインターフェースユニット３０Ｂを接続した場合のシステムブロック図である。
この場合、外部機器となるホストコンピュータ６０はＳＣＳＩ方式を採用した機器となる。そして、変換コントロール部３４Ｂはコネクタ３２Ｂを介してホストコンピュータ６０との間でＳＣＳＩ方式によるデータ及び制御信号の授受が行なわれる。また、変換コントロール部３４Ｂはドライブユニット１０に対しては図４の場合と同様のインターフェースが確立されている。
【００３４】
この場合は、変換コントロール部３４Ｂのインターフェース処理によりＳＣＳＩ方式のホストコンピュータ６０からのデータをドライブユニット１０でＮＴカセットテープ１に記録し、またＮＴカセットテープ１から再生したデータをホストコンピュータ６０に供給することが可能となる。
【００３５】
図６はインターフェースユニット３０Ｃを接続した場合のシステムブロック図である。
この場合、外部機器となるホストコンピュータ６０はＰＣＭＣＩＡインターフェース方式を採用した機器となる。そして、変換コントロール部３４Ｃはコネクタ３２Ｃを介してホストコンピュータ６０との間でＰＣＭＣＩＡインターフェース方式によるデータ及び制御信号の授受が行なわれる。また、変換コントロール部３４Ｃはドライブユニット１０に対しては図４、図５の場合と同様のインターフェースが確立されている。
【００３６】
この場合は、変換コントロール部３４Ｃのインターフェース処理によりＰＣＭＣＩＡインターフェースを有するホストコンピュータ６０からのデータをドライブユニット１０でＮＴカセットテープ１に記録し、またＮＴカセットテープ１から再生したデータをホストコンピュータ６０に供給することが可能となる。
【００３７】
つまり、本実施例の場合、各種の外部情報機器のインターフェース形態に応じてインターフェースユニットを取り換えて使用することで、ドライブユニット１０を用いたＮＴカセットテープ１へのコンピュータユースデータの記録再生を行なうことができる。また、ＮＴカセットテープ１に記録されている時点ではデータは全てＮＴフォーマットであり、それがインターフェースユニット３０Ａ〜３０Ｃのいづれかで所定のインターフェース形態に変換されるため、テープ上に記録されているデータについて各種の外部情報機器に読み込むことができることにもなる。
もちろんインターフェースユニット３０としては上述した３例以外にも、他のインターフェース形態に対応するものも考えられる。
【００３８】
ところで、コンピュータデータをＮＴカセットテープ１に記録することに応じて、再生時にそのデータが音声データでなくコンピュータデータであることを識別できるようにするための管理情報を付加するようにしているが、これについて説明する。
ＮＴカセットテープ１に対する記録フォーマットは図７のようになっている。図７（ａ）のようにＡ面、Ｂ面についてそれぞれヘリカルスキャン方式でトラックＴが形成されていくが、１トラックの構成は図７（ｂ）のようになる。
１トラックは１０８ブロックで構成され、１ブロックは２８８ビットとされる。
【００３９】
トラックの先頭の４ブロック目から１２ブロック目の９ブロックがインナーダブルレコーディングフィールド（内側２重記録領域）が配され、また最後の１２ブロックのうちの７ブロックにアウターダブルレコーディングフィールド（外側２重記録領域）が設けられている。そしてこれらの間の９２ブロックが記録領域とされる。
【００４０】
記録領域としては４０ブロックのデータエリア、４ブロックのＣＴＬエリア、１ブロックのＩＢＧエリアがそれぞれ２つづつ設けられ、中央２ブロックはＡＵＸエリアとされる。
データエリアは実際の音声やデータが記録されるエリアであり、これらのデータについての管理はＣＴＬエリアにおいてコントロール情報として記録されることになる。
このＣＴＬエリアのコントロール情報により、記録したデータの種別（音声データ、コンピュータデータ、及び後述する第２の実施例による音声データ、映像データなど）を再生時に判別可能とすることができる。
【００４１】
図８はＣＴＬエリアの１ブロックの構造を示している。４ブロックのＣＴＬエリアにはこの１ブロックのデータが４回繰り返して記録されることになる。そして１トラックには２つのＣＴＬエリアがあるため、１トラックにつき同一のＣＴＬデータが８回記録される。
【００４２】
ＣＴＬブロックには図示するように、まず１１ビットの同期信号、１３ビットのアドレスが配され、続いて各１２ビットのコントロールワードＣＷ0 〜ＣＷ19が記録される。そして最後にＣＲＣＣコード（１２ビット×２）が記録される。ここで、コントロールワードＣＷ0 〜ＣＷ19として当該トラックＴについての各種情報が記録されるわけであるが、コントロールワードＣＷ4 〜ＣＷ17は未定義である。従って、例えばコントロールワードＣＷ4 を用いて、データ種別の識別コードを記録しておけばよい。即ち再生時にインターフェースユニット３０は再生データとして供給されるＣＴＬデータで、実際に再生されているデータの種別を判別することができる。
【００４３】
また、コントロールワードＣＷ0 を利用することもできる。
コントロールワードＣＷ0 はいわゆるページングによりトラックに応じて図９のように記録内容が設定されている。つまりページとは１トラック毎に増加し、２n 周期で回るように定義され、その各ページ毎に図９のデータが記録される。ここで、モードＩＤとして４ビットの情報が記録されるが、この４ビットが『０００１』であるときは、そのトラックは２チャンネルの音声データが記録されたものであると定義されている。ここでこの４ビットを用いて或る値がコンピュータデータを示すように定義すればよい。
【００４４】
以上のようにＣＴＬデータでデータ種別を識別できるようにすることにより、インターフェースユニット３０はドライブユニット１０から再生データを取り込んだ際に、コンピュータデータのみをホストコンピュータ６０側に供給するように処理できる。
【００４５】
次に本発明の第２の実施例を説明する。この実施例はホストコンピュータ６０とのインターフェースについては上記第１の実施例と同様であるが、インターフェースユニット３０はさらに外部のオーディオ機器、ビデオ機器との間で音声データ、映像データを授受できるようにしているものである。即ち、ＮＴカセットテープ１について考えると、図２（ｂ）に示すように音声データ、映像データ（静止画、動画）、コンピュータデータ等各種を混在して記録させるものである。
【００４６】
この場合インターフェースユニット３０としては、外観上は、図１０に示すように第１の実施例と同様の部位の他に、次のような構成が付加される。
３５は音声出力ボリュームつまみである。３６は音声入力端子であり、例えばマイクロフォンが接続され、マイクロホンからの音声信号が入力される。３７は音声出力端子であり、例えばヘッドホン端子とされてＮＴカセットテープ１からの再生音声信号がヘッドホン出力される。３８は映像入力端子であり、映像信号ソースからの動画信号、静止画信号が入力される。３９は映像出力端子であり、例えばモニタ装置が接続されて、ＮＴカセットテープ１から再生された動画信号、静止画信号が出力されモニタ装置で表示されるようになされる。
【００４７】
この実施例においてパラレルポートインターフェース方式のホストコンピュータ６０に対応するインターフェースユニット３０Ａを接続した場合のシステムブロック図が図１１に示される。
【００４８】
図示するように上記図４と同様の構成の他に、インターフェースユニット３０Ａでは、オーディオエンコーダ／デコーダ部４０、及びビデオエンコーダ／デコーダ部４１が設けられる。また、音声出力ボリュームつまみ３５によって可変される音量調節部３５ａが設けられる。
【００４９】
音声入力端子３６から入力された音声信号はオーディオエンコーダ／デコーダ部４０でデジタルデータ化されＮＴフォーマットに適合するデータ形態にエンコードされて変換コントロール部３４Ａに供給される。そして変換コントロール部３４Ａからドライブユニット１０側に供給することによりＮＴカセットテープ１に記録することができる。
【００５０】
また、ＮＴカセットテープ１から再生された音声データについては変換コントロール部３４Ａからオーディオエンコーダ／デコーダ部４０に供給されてデコード処理、アナログ信号化処理、増幅処理等によるデコード動作が実行される。そして音量調節部３５を介して音声出力端子３７から出力される。
【００５１】
映像入力端子３８から入力された映像信号はビデオオエンコーダ／デコーダ部４１でＮＴフォーマットに適合するデータ形態にエンコードされて変換コントロール部３４Ａに供給される。そして変換コントロール部３４Ａからドライブユニット１０側に供給することによりＮＴカセットテープ１に記録することができる。
【００５２】
また、ＮＴカセットテープ１から再生された映像データについては変換コントロール部３４Ａからビデオエンコーダ／デコーダ部４１に供給されてデコード処理が実行され、映像出力端子３９から出力される。
【００５３】
ここで、変換コントロール部３４Ａは、ドライブユニット１０に記録データを供給する際に、記録データ内に含まれるＣＴＬデータとして上述した方式で識別コードを付しておく。つまり、コンピュータデータか、音声データか、映像データ（もしくは静止画データか動画データか）を示すコードをＣＴＬブロックの例えばコントロールワードＣＷ4 として記録させるようにしている。
【００５４】
このため、図２（ｂ）のようにＮＴカセットテープ１上で各種データが混在されても、再生時にインターフェースユニット３０は適正な処理を行なうことができる。即ち再生時にＣＴＬデータにより再生データがコンピュータデータであれば、それをパラレルポートインターフェースでホストコンピュータ６０に供給する。またＣＴＬデータにより再生データが音声データであれば、そのデータをオーディオエンコーダ／デコーダ部４０に供給する。さらにＣＴＬデータにより再生データが映像データであれば、そのデータをビデオエンコーダ／デコーダ部４１に供給する。
【００５５】
図１２はＳＣＳＩ方式に対応するインターフェースユニット３０Ｂを接続した場合、また図１３はＰＣＭＣＩＡインターフェース方式に対応するインターフェースユニット３０Ｃを接続した場合についてそれぞれ構成を示している。音声入出力、映像入出力については図１１の場合と同様なため、説明は省略する。
【００５６】
このように本実施例では第１の実施例と同様にＮＴカセットテープ１を情報機器のデータバックアップなどに用いるほか、ＮＴカセットテープ１をコンピュータデータ、音声データ、映像データなどの多種類のデータに対応するマルチメディア媒体として使用することができる。
【００５７】
ところで、この第２の実施例において、映像信号については、ＮＴフォーマットの転送レート（８５Ｋバイト／秒）では動画の記録再生には不十分である。このためビデオエンコーダ／デコーダ部４１においてＭＰＥＧ２やＪＰＥＧで採用されている信号圧縮・伸長方式を用いることが好適である。
さらに、動画についてさらに画質向上を実現したい場合は、ＮＴデータ段階でのデータ転送レートを向上させることが考えられる。例えばヘッドドラムの回転数を倍にすることなどが考えられる。
【００５８】
なお上記各実施例において、ドライブユニット１０はインターフェースユニット３０と接続して使用するものとしたが、ドライブユニット１０に操作部や電源部を搭載して、単体で使用できるようにしてもよい。
さらに、ドライブユニット１０，インターフェースユニット３０の各部の構成については各種変形例が考えられることはいうまでもない。
例えばドライブユニット１０はＮＴカセットテープに対応するものとしたが、ミニディスクなどの他の記録媒体を用いるものでもよい。
【００５９】
【発明の効果】
以上説明したように本発明のインターフェースユニットによる記録再生システムでは、ＮＴカセットテープやミニディスクなどのオーディオ記録媒体を用いてコンピュータデータの記録再生が可能となり、例えばコンピュータデータのバックアップなどの多様な使用を行なうことができる。特に情報機器のインターフェース方式に応じてインターフェースユニットを取り換えて用いることで、ドライブユニット及び記録媒体を汎用的に利用することができるという効果がある。
【００６０】
さらに、インターフェースユニットを介して、コンピュータデータだけでなく音声データや映像データなど多様なデータの記録再生を行なうことができるようにすることで、ドライブユニット及び記録媒体をマルチメディアシステムとして利用できるという効果がある。
【００６１】
そして、異なる情報機器間でのデータの受渡等にも利用でき、さらに特に小型のドライブユニット及びインターフェースユニットが実現可能であるため、携帯使用や複数のパーソナルコンピュータなどでの共用にも好適である。
【図面の簡単な説明】
【図１】本発明の実施例のシステム構成の説明図である。
【図２】実施例によるテープ上の記録形態の説明図である。
【図３】第１の実施例のドライブユニット及びインターフェースユニットの外観の説明図である。
【図４】第１の実施例のシステム接続状態のブロック図である。
【図５】第１の実施例のシステム接続状態のブロック図である。
【図６】第１の実施例のシステム接続状態のブロック図である。
【図７】ＮＴ記録フォーマットの説明図である。
【図８】ＮＴ記録フォーマットにおけるＣＴＬエリアの説明図である。
【図９】ＮＴ記録フォーマットにおけるＣＴＬエリアのコントロールワードＣＷ0 の説明図である。
【図１０】第２の実施例のドライブユニット及びインターフェースユニットの外観の説明図である。
【図１１】第２の実施例のシステム接続状態のブロック図である。
【図１２】第２の実施例のシステム接続状態のブロック図である。
【図１３】第２の実施例のシステム接続状態のブロック図である。
【符号の説明】
１  ＮＴカセットテープ
２  テープ
１０  ドライブユニット
１４  コネクタ
１５  ヘッドドラム
１６  記録／再生回路
１７  インターフェース部
１８  システムコントローラ
３０（３０Ａ〜３０Ｃ）  インターフェースユニット
３１  コネクタ
３２（３２Ａ〜３２Ｃ）  コネクタ
３３  ＬＥＤ発光部
３４（３４Ａ〜３４Ｃ）  変換コントロール部
３５  音声出力ボリュームつまみ
３５ａ  音量調節部
３６  音声入力端子
３７  音声出力端子
３８  映像入力端子
３９  映像出力端子
４０  オーディオエンコーダ／デコーダ部
４１  ビデオエンコーダ／デコーダ部
５０  バッテリー
６０  ホストコンピュータ
【図１】
0003661201.tif 000002
【図２】
0003661201.tif 000003
【図３】
0003661201.tif 000004
【図４】
0003661201.tif 000005
【図５】
0003661201.tif 000006
【図６】
0003661201.tif 000007
【図７】
0003661201.tif 000008
【図８】
0003661201.tif 000009
【図９】
0003661201.tif 000010
【図１０】
0003661201.tif 000011
【図１１】
0003661201.tif 000012
【図１２】
0003661201.tif 000013
【図１３】
0003661201.tif 000014